【事件の表示】
　平成１１年特許願第１４６４５３号「ディスク制御装置およびその制御方法ならびにディスク記憶媒体」拒絶査定不服審判事件〔平成１２年１２月　８日出願公開、特開２０００−３３９２０２〕について、次のとおり審決する。
【結　論】
　本件審判の請求は、成り立たない。
【理　由】
１．手続の経緯・本願発明
　本願は、平成１１年５月２６日の出願であって、平成１５年４月１４日付けで拒絶査定がなされ、これに対し、同年５月２２日に審判請求がなされ、同年６月９日に手続補正がなされたが、当審より、平成１７年１１月２４日付けで拒絶理由が通知され、これに対し、平成１８年１月３０日付けで手続補正がなされたものであって、その請求項１に係る発明は、特許請求の範囲の請求項１に記載された事項により特定される次のとおりのものと認める。（以下、「本願発明」という。）
　
　「ディスク記憶媒体に対する読み出し／書き込みを行う入出力制御部と、前記ディスク記憶媒体上のファイル配置を管理する領域管理部とを備え、
　前記領域管理部は、
　前記ディスク記憶媒体に記録されたファイルの属性や配置等の情報を含む領域管理情報を保持する手段と、
　前記属性情報にストリーム属性が指定されているファイルに対して、書きこみ動作の際にファイルの書き込み／読み出し性能にある一定以上の入出力速度を保証可能な一定長を単位とした連続領域を空き領域から１または複数割り当てる領域確保手段と
　を含むことを特徴とするディスク制御装置。」
　
２．当審の拒絶理由
　当審より通知された平成１７年１１月２４日付けの拒絶理由の一つは、本願発明は、本願の出願日前の平成８年９月１７日に頒布された刊行物である特開平８−２４１２３０号公報（以下、「引用文献１」という。）、及び、平成１１年３月１８日に頒布された刊行物である国際公開第９９／１３４６９号パンフレット（以下、「引用文献２」という。）に記載された発明に基づいて当業者が容易に発明をすることができたものであるから、特許法第２９条第２項の規定により特許を受けることができない、というものである。
　
３．引用発明
（１）引用発明１
　引用文献１には、次の事項が記載されている。
　
（ア）「【請求項１】
　記録媒体のデータ記録領域を、継続的アクセスの必要な連続性データを１以上の可変長レコードに分割して記録する第１の領域と、継続的アクセスの必要のない非連続性データを、１以上の固定長ブロックに分割して記録する第２の領域とに分割し、
　前記記録媒体へのデータのアクセスを、１つのファイル名に対して前記第１の記録領域の記録データに対するポインタと、前記第２の記録領域の記録データに対するポインタの両方を具えるファイルエントリにより管理し、
　１つのファイル名に基づいて、前記連続性データと非連続性データのいずれか一方あるいは両方にアクセスするデータ管理方法。」
　
（イ）「【００１４】（前略）…図１は、レコードエントリ方式におけるファイル管理を説明する図であり、（Ａ）はファイルエントリの構成を示す図、（Ｂ）はレコードエントリの構成を示す図、（Ｃ）はディスクのデータ記録部分の説明をする図である。　レコードエントリ方式においては、ファイルを複数の連続する可変長の領域で分割してディスク上に記録する。その１つの連続領域をレコードエントリと呼ぶ管理単位によって管理し、複数のレコードエントリをリンクすることによってファイルデータを構成する。」
　
（ウ）「【００２４】次に、ＡＶサーバ装置１の、本発明に係わるデータ蓄積装置３０1 〜３０n について、図３および図４を参照してさらに詳細に説明する。図３は、そのデータ蓄積装置３０1 〜３０n の構成を示すブロック図であり、図４は、そのメモリ回路（ＭＥＭ）上にソフトウェア形式で実現されたデータ管理装置３０８の構成を示す図である。　図３に示すように、データ蓄積装置３０i （ｉ＝１〜ｎ）は、形式変換装置（ＣＮＶ）３１およびディスク装置３２を有し、ディスク装置３２は、書き込み読み出し回路（Ｗ／Ｒ装置）３０２、制御回路３０４およびメモリ回路３０６を有する。
　…（中略）…
【００２６】ディスク装置３２のＷ／Ｒ装置３０２は、制御回路３０４により制御され、ＭＯディスク４０を回転させ、形式変換装置３１から入力された記録データをＭＯディスク４０に書き込む。また、ＭＯディスク４０から記録データを読み出して形式変換装置３１に出力する。
　制御回路３０４は、同期システム制御実行装置１６からの制御信号Ｓ１４に基づいて、メモリ回路３０６に記憶されたデータ管理装置３０８の各ブログラムを実行し、Ｗ／Ｒ装置３０２を制御して、ＭＯディスク４０に対して記録データの記録あるいは再生を行わせる。」
　
（エ）「【００２８】また、前述したデータ管理装置３０８は、図４に示すように、メモリ回路３０６内に制御回路３０４において実行されるソフトウェアの形式で実現されており、レコードエントリ生成プログラム（ＲＥＧ）３１０、リンクデータ生成プログラム（ＬＤＧ）３１２、先頭位置データ生成プログラム（ＨＤＧ）３１４、記録長データ生成プログラム（ＲＬＤＧ）３１６、ファイルエントリ生成プログラム（ＦＥＧ）３１８、アクセス管理プログラム（ＡＭ）３２０、空き領域確保プログラム（ＥＡＧ）３２２、記録データ書込プログラム（ＤＷ）３２４、空き記録領域管理プログラム（ＥＡＭ）３２８、データ管理プログラム（ＤＭ）３３０、記録データ読み出しプログラム（ＤＲ）３３２およびこれらのプログラムの実行制御などを行うオペレーティングシステム（ＯＳ）３３４から構成される。」
　
（オ）「【００３２】まず、本実施の形態のＭＯディスクの構成を図５〜図７を参照して説明する。図５は、ＭＯディスクの全体の構成を示す図である。図６は、ファイルエントリＦＥの構成を示す図である。図７は、連続データエリアＣＡおよび非連続データエリアＲＡにおけるエントリの構成を示す図であり、（Ａ）は連続データエリアＣＡのレコードエントリの構成を示す図、（Ｂ）は非連続データエリアＲＡのｉ−ｎｏｄｅの構成を示す図である。
【００３３】本実施の形態のＭＯディスクは、記録媒体を、システム・エリアＳＡ、ファイル・エントリＦＥ、連続データエリアＣＡ（Continuous Area）、および、非連続データエリアＲＡ（Random Area ）の４つの領域に分割して使用する。実際にデータが記録されるのは、連続データの記録領域である連続データエリアＣＡ（Continuous Area）と、非連続データの記録領域である非連続データエリアＲＡ（Random Area）である。
【００３４】システム領域ＳＡには、ディスク全体のパラメータが記述される領域であり、メディア識別子とユーザ情報およびファイルシステムパラメータが記録される。ユーザ情報はユーザに開放された領域である。ファイルシステムパラメータとしては、ファイルエントリＦＥ、連続データエリアＣＡ、非連続データエリアＲＡの各領域の開始ブロックなどが記録される。
【００３５】ファイルエントリＦＥの構成を図６に示す。図６に示すように、ファイルエントリＦＥには、１つのファイル名に対して、連続データエリアＣＡのデータに対するポインタであるレコードエントリ番号と、非連続データエリアＲＡのデータに対するポインタであるｉ−ｎｏｄｅ番号がともに記録されている。さらに、ファイルエントリＦＥには、各データエリアに対応して、２個づつのデータサイズ、作成日、作成時間の情報が記述されている。したがって、このファイルエントリＦＥの構成によれば、１つのファイル名に対して、通常の２つのファイルに該当するデータが対応づけられている。
【００３６】連続データエリアＣＡは、ＡＶデータなどの連続データが記録されるエリアであり、その記録データをレコードエントリ方式で管理する。このレコードエントリー方式は、図１を参照して前述した方法と同じであり、図７（Ａ）に示すようなレコードエントリによってデータが管理される。連続データエリアＣＡは、連続データエリアＣＡの内部構造を表すスーパブロック、レコードエントリ、空きエリア情報、および、連続データ記録領域より構成される。」
　
（カ）「【００３８】次に、このような構成のＭＯディスク媒体に対して、ＭＯドライブにおいてデータをアクセスする手順について説明する。まず、このＭＯディスクがＭＯドライブに挿入されると、最初にシステム・エリアＳＡが読み込まれ、ファイルエントリＦＡ、連続データエリアＣＡ、および、非連続データエリアＲＡがディスクのどの位置にあるかが判別される。連続データエリアＣＡ、非連続データエリアＲＡについては、さらにスーパーブロックが読み込まれ、それぞれの記録領域における管理情報が読み込まれる。
【００３９】ＭＯドライブによる、各データファイルへのアクセスは、それぞれのデータ種別に従って、コマンドあるいはコマンドオプションで切り換える。本実施の形態のＭＯドライブにおいては、表１に示す４つのコマンドにおいて切り換える。
【００４０】
【表１】
（１）　連続データの読み出し　　　ＰＬＡＹ
（２）　連続データの書き込み　　　ＲＥＣＯＲＤ
（３）　非連続データの読み出し　　ＲＥＡＤ
（４）　非連続データの書き込み　　ＷＲＩＴＥ
【００４１】そして、たとえばＰＬＡＹが実行された場合のデータファイルへのアクセスは、図８にフローチャートを示すように次のように行われる。まず、ファイル名からファイルエントリを取得する（ステップｓ２１）。そのファイルエントリから、第１のレコードエントリ番号を取得し、取得レコード番号にセットする（ステップｓ２２）。取得レコード番号がＥＯＦであった場合は（ステップｓ２３）、エラー出力をして処理を終了する（ステップｓ２９）。ステップｓ２３において取得レコード番号がＥＯＦでなければ、取得レコード番号のレコードエントリをロードし（ステップｓ２４）、そのレコードエントリをアクセスレコードリストに追加する（ステップｓ２５）。
【００４２】レコードエントリのＬＩＮＫを参照し、ＬＩＮＫ≠ＥＯＦならば、ＬＩＮＫのレコード番号を取得レコード番号にセットしてステップｓ２３からの処理を繰り返す（ステップｓ２６）。ステップｓ２６において、ＬＩＮＫ＝ＥＯＦならば、アクセスレコードリストに従ってファイルデータにアクセスを行い（ステップｓ２７）、アクセスが終了したら処理を終了する（ステップｓ２８）。」
　
　データを記録媒体に書き込むときに空き領域を確保して書き込むことは技術常識であること、及び、上記（ア）及び（イ）において、連続データ（ＡＶデータ）は、複数の連続的な記録領域に書き込まれていることから、上記（エ）において、「データ管理装置」の「空き領域確保プログラム」及び「記録データ書込プログラム」は、ＡＶデータを書き込む際に、１または複数の連続領域を割り当てていることは自明である。
　また、上記（エ）において、「データ管理装置」は、上記各プログラムに加え、「レコードエントリ生成プログラム」、「ファイルエントリ生成プログラム」、「空き記録領域管理プログラム」等から構成されているが、上記（オ）からして、「ファイルエントリ」及び「レコードエントリ」は、ファイルの配置を管理するものであるので、前記「データ管理装置」は、ファイル配置を管理する機能を有していることが読み取れる。
　上記（カ）によると、データ種別に従って、コマンドを切り換えることにより、例えば、「連続データの書き込み」を行うときには「ＲＥＣＯＲＤ」コマンドを明示的に指定することにより連続データの書き込みを行っている。
　
　よって、上記（ア）乃至（カ）からして、引用文献１には次の発明（以下「引用発明１」という。）が記載されている。
　
　入力された記録データをＭＯディスク媒体に書き込み、ＭＯディスク媒体から記録データを読み出して出力する書き込み読み出し回路と、ＭＯディスク媒体上のファイル配置を管理するデータ管理装置と、
　ＭＯディスク上に、ファイル名、レコードエントリ番号、連続データサイズ等の情報を含むファイルエントリと、ファイルエントリのレコードエントリ番号に対応し、次レコードエントリへのリンク、当該レコードの開始ブロック番号、及び当該レコードのサイズ含む、１又は複数のレコードエントリとを備え、
　前記データ管理装置は、
　コマンドＲＥＣＯＲＤの指定により、ファイルに対して、連続データの書きこみ動作の際に、連続領域を空き領域から１または複数割り当てる空き領域確保プログラム及び記録データ書込プログラムと
　を含むことを特徴とするディスク制御装置。
　
（２）引用発明２
　引用文献２には、次の事項が記載されている。
　
（キ）「本発明は、画像や音声，楽音などの各種時間及び／又は容量の連続したデータを、ディスク状記録媒体に記録するディスク記録方法及び装置、並びに、画像や音声、楽音などの各種時間及び／又は容量の連続したデータが記録されたディスク状記録媒体に関するものである。」
（第１頁第４−８行）
　
（ク）「ここで、バッファメモリ８，１７に間欠的に書き込まれるデータ量と、バッファメモリ８，１７から一定レートで読み出されるデータ量とがつり合っていれば、バッファメモリ８，１７はオーバーフロウやアンダーフロウすることなく、書き込みと読み出しが繰り返される。
　しかし、ディスク１への記録の際に、連続したデータ、つまり、再生時において連続して出力されるべきデータを、極端に分散化又は細分化してディスク１に記録してしまうと、後の再生時にバッファメモリ８，１７を用いても、データの連続性を保証することができなくなり、データの連続再生の実現が不可能になる虞がある。
　そのため、本発明の実施の形態のディスク記録再生装置では、記録時におけるデータの分散化及び／又は細分化に対して制約条件を設けている。」
（第１７頁第９−２１行）
　
（ケ）「すなわち、バッファメモリ８，１７のバッファサイズがＢ（ビット）以上あり、且つ記録時にＢａ（ビット）以上のデータを連続配置できるだけの連続した空き領域がディスク１上に存在する場合、本発明の実施の形態のディスク記録再生装置のシステムコントローラ９は、上記Ｂａを最小連続記録単位として設定し、この最小連続記録単位Ｂａ以上のデータ単位でディスク１上の１つの連続した空き領域に配置するように制御して、多重化データＡ，Ｂを記録する。」
（第２０頁第１３−１９行）
　
（コ）「まず、記録処理について説明する。
　多重化データＡ及び多重化データＢをディスク１に記録するのにあたり、システムコントローラ９は、図９のステップＳ１１からステップＳ１２に示すような処理を行い、最小連続記録単位Ｂａの設定を行う。
　…（中略）…
　ステップＳ２１において、バッファコントローラ７は、圧縮／伸張回路１０，１８から供給される多重化データＡ及び多重化データＢを、各々Ｒｏの一定レートで連続的にバッファメモリ８，１７へ入力する。
　…（中略）…
　続いて、ステップＳ３３において、バッファメモリコントローラ７は、バッファメモリ８から、最小連続記録単位Ｂａ分の多重化データＡを、エンコーダ／デコーダ回路６へＲｉのレートで出力する。
　…（中略）…
　続いて、ステップＳ４３において、システムコントローラ９は、エンコーダ／デコーダ回路６から供給された最小連続記録単位Ｂａ分の多重化データＡを、Ｒｉのレートでディスク１に書き込む。
　…（中略）…
　続いて、ステップＳ４６において、システムコントローラ９は、エンコーダ／デコーダ回路６から供給された最小連続記録単位Ｂａ分の多重化データＢを、Ｒｉのレートでディスク１に書き込む。
　続いて、ステップＳ４７において、多重化データＡ及び多重化データＢの記録が終了したかどうかを判断する。多重化データＡ及び多重化データＢの記録が終了していない場合は、ステップＳ４１に戻りステップ４１からステップＳ４６までの処理を繰り返す。また、多重化データＡ及び多重化データＢの記録が共に終了した場合は処理を終了する。」
（第２２頁第１２行−第２５頁第１４行）
　
（サ）「このことにより、本発明の実施の形態のディスク記録再生装置では、ディスク１上の使用不可の空き領域を削減してディスク容量を効率的に使用することができ、長時間分の連続した画像及び楽音データをディスク１へ実時間で記録でき、このディスク１から一定の出力レートで連続した多重化データを再生できる」
（第２９頁第９−１３行）
　
　上記（ク）及び（サ）からして、上記（ケ）及び（コ）に記載の「最小連続記録単位Ｂａ」は、ディスクに対して、連続した多重化データの書き込み動作の際に、実時間で記録することができ、かつ、一定の出力レートで連続した多重化データを再生できることを保証可能なものである。
　また、上記（コ）からして、「システムコントローラ」は、ディスクに書き込む際に、最小連続記録単位Ｂａ分の連続領域を、記録すべき多重化データが無くなるまで、必要に応じて１又は複数確保していることは技術的に見て自明な事項である。
　よって、上記（キ）乃至（サ）からして、引用文献２には次の発明（以下「引用発明２」という。）が記載されている。
　
　ディスクに対して、連続した多重化データの書き込み動作の際に、実時間で記録することができ、かつ、一定の出力レートで連続した多重化データを再生することを保証可能な最小連続記録単位Ｂａ分の連続領域を１又は複数確保して書き込むことを特徴とするディスク記録再生装置。
　
３．本願発明と引用発明との対比
　本願発明と引用発明１とを対比すると、引用発明１の「ＭＯディスク媒体」、「入力された記録データをＭＯディスク媒体に書き込み、ＭＯディスク媒体から記録データを出力する書き込み読み出し回路」、「データ管理装置」及び「連続データ」は、それぞれ本願発明の「ディスク記憶媒体」、「ディスク記憶媒体に対する読み出し／書き込みを行う入出力制御部」、「領域管理部」及び「ストリーム」に対応している。
　また、引用発明１の「ファイルエントリ」が含む「ファイル名」は、ファイルの属性であり、「レコードエントリ番号」及び「連続データサイズ」は、ファイルの配置を示す情報であり、また、引用発明１の「レコードエントリ」が含む「次レコードエントリ」、「レコードの開始ブロック番号」及び「レコードのサイズ」は、ファイルの配置を示す情報であるから、引用発明１の「ファイルエントリ」と「レコードエントリ」は、ファイルの属性や配置等の情報を含むものであるから、本願発明の「領域管理情報」に対応している。また、引用発明１では、当該「領域管理情報」は、ＭＯディスク媒体上に保持されているから、「領域管理情報を保持する手段」を有している点で、本願発明と共通している。
　また、本願発明の「ストリーム属性が指定されているファイル」にはストリームが書き込まれるから、引用発明１の「空き領域確保プログラム及び記録データ書込プログラム」は、ストリームの書き込み動作の際に、空き領域から連続領域を１または複数割り当てる領域割当手段である点で、本願発明の「領域確保手段」と共通している。
　よって、両者は、
　
　ディスク記憶媒体に対する読み出し／書き込みを行う入出力制御部と、前記ディスク記憶媒体上のファイル配置を管理する領域管理部と、前記ディスク記憶媒体に記録されたファイルの属性や配置等の情報を含む領域管理情報を保持する手段とを備え、
　前記領域管理部は、
　前記属性情報にストリームの書き込み動作の際に、連続領域を空き領域から１または複数割り当てる領域割当手段と
　を含むことを特徴とするディスク制御装置。
　
　の点で一致し、以下の点で相違している。
　
［相違点１］
　「領域管理情報を保持する手段」を、本願発明は、「領域管理部」が有しているのに対し、引用発明１では、「ディスク記憶媒体」上で具現化されている点。
　
［相違点２］
　ストリームの書き込み動作の際に「領域割当手段」が割り当てる「連続領域」が、本願発明では、「ファイルの書き込み／読み出し性能にある一定以上の入出力速度を保証可能な一定長を単位とした」ものであるのに対し、引用発明１では、どのような単位で割り当てるのか特定されていない点。
　
［相違点３］
　本願発明では、「属性情報」として「ストリーム属性」が割り当てられているファイルであることに基づいて当該ファイルに対してストリームのための領域の割り当てを行うのに対し、引用発明１では、ＲＥＣＯＲＤコマンドにより明示的にデータ種別と書き込み動作を指定することにより、ストリームのための領域の割り当てを行う点。
　
４．当審の判断
４−１．相違点について
　上記相違点について、以下検討する。
　
［相違点１について］
　データの読み出しは、ディスク記憶媒体からよりも内部メモリからの方が速いことは技術常識であるから、ディスク記憶媒体に記録されたデータを一旦内部メモリに読み出して保持し、保持されたデータを読み出すようにすることは通常行われていることであり、実際、引用文献１の段落【００３８】には、「まず、このＭＯディスクがＭＯドライブに挿入されると、最初にシステム・エリアＳＡが読み込まれ、ファイルエントリＦＡ、連続データエリアＣＡ、および、非連続データエリアＲＡがディスクのどの位置にあるかが判別される。連続データエリアＣＡ、非連続データエリアＲＡについては、さらにスーパーブロックが読み込まれ、それぞれの記録領域における管理情報が読み込まれる。」と記載されていることから、引用発明１においては、ＭＯディスク（ディスク記憶媒体）が挿入されると、システム・エリアＳＡ、スーパーブロック等の管理情報が内部のメモリに読み込まれ、保持されている。よって、引用発明１において、管理機能を有する情報である「ファイルエントリ」と「レコードエントリ」についても、システム・エリアＳＡ、スーパーブロック等の管理情報と同じように、内部メモリに読み込み、保持するように構成することは当業者にとって自明または容易である。
　また、引用発明１において、「管理情報」は、「空き領域確保プログラム」等が用いているが、プログラムと使用するデータとを近接して配置する方が合理的であることから、この管理情報を保持する内部メモリを、「領域管理部」（データ管理装置）内に設けることは、当業者が容易に想到し得たものである。
　よって、引用発明１において、「管理情報」を保持する手段を「領域管理部」に設けることは、引用文献１に記載された事項に基づいて当業者が容易に想到し得たものである。
　
［相違点２について］
　引用発明２に係る「多重化データ」は、画像データ又は楽音データ等の連続的なデータであるから、本願発明の「ストリーム」に相当するものである。また、引用発明２において、ディスクに対して書き込む際の単位である「最小連続記録単位Ｂａ」は、連続した多重化データの書き込み動作の際に、実時間で記録することができ、かつ、一定の出力レートで連続した多重化データを再生することを保証可能なものであるから、書き込みや読み出しの性能に対して一定以上の入出力速度を保証可能な一定長であるといえる。
　また、引用発明１と引用発明２とはいずれもディスク制御装置に係るものであって、ディスクに対してストリーム（連続データ）を書き込むものである点で共通しているから、引用発明１に引用発明２の具体的な書き込み手法を採用することにより、ストリームをディスクに書き込む際に、「書き込み／読み出し性能に一定以上の入出力速度を保証可能な一定長」を単位とした連続領域を空き領域から１または複数割り当てるようにすることは、当業者が容易に想到し得たものである。
　また、引用発明１は、ファイルでストリームを管理することを前提としているから、上述のように引用発明１に引用発明２を適用すると、該「一定長」が、「ファイルの書き込み／読み出し性能に一定以上の入出力速度を保証可能な」ものとなることは自明である。
　
［相違点３について］
　引用文献１の段落【００１７】には、「この管理方法においては、ファイルエントリにファイルの種別を記録しておき、そのファイルの種別に基づいて前記第１あるいは第２の領域をアクセスする。」と記載されているように、従来技術において、ファイルの種別をファイルエントリに記録しておき、当該ファイルの種別により、データ管理の方法を自動的に判別することは周知であったといえる。
　そして、引用文献１においては、１つのファイルに連続データと非連続データとの２種類のデータを格納できることを前提としているが、両方の種類を必ず含めなければならないという特殊な事情は存在しないから、１つのファイルに連続データのみを格納し、ファイルエントリのファイルの種別により、連続データを格納することを判別し、当該判別結果に基づいて連続領域を確保するように制御することは、当業者が容易に想到し得たものである。
　
　そして、本願発明の作用効果も、引用発明１及び２並びに周知技術から当業者が容易に予測できる範囲内のものである。
　
４−２．請求人の意見
　なお、請求人は、平成１８年１月３０日付けの意見書において、以下の２を主張している。
　
［主張１］「しかし、本願発明は、単一のディスク領域全体の管理を行うことが可能な構成としている点で、ディスク領域を連続データエリア、非連続データエリア２つに分けて、データの種別に応じてこれらの領域のいずれかを使用する構成とした引用文献１とは構成要件が異なるものです。」
　
［主張２］「すなわち引用文献２には、映像及び音声などのデータがマルチプレクス（多重化）されたストリームを、そのデータレートから計算された単位で領域管理することにより、一定の映像レート、音声レートのデータがマルチプレクスされたストリームの記録再生に使用可能なディスク記録再生装置が開示されています。しかしながら、本願発明の特徴である映像データや音声データなど論理的なまとまりをファイルとして管理し、同一ディスク上に混在させるファイルシステムにより管理するという技術思想の開示も示唆もありません。
　さらに引用文献２に記載されたディスク記録再生装置においてはファイルという概念自体が存在しないことから、ファイルの属性を基準として記録再生制御を行うという引用文１に開示されたファイル管理方式と、引用文献２に記載されたディスク記録再生装置を組み合わせることに特段の技術的な阻害要因が認められることは明らかです。」
　
　以下、上記主張について検討する。
［主張１について］
　本願発明では、ディスク上に、ストリーム属性を有しないファイルをどのように管理するかについて何ら特定していない。しかも、本願は、明細書の段落【００４０】〜【００４８】及び図１２に記載されているように、ストリーム属性を有するファイルと有しないファイルとを別の領域で管理する態様が記載されていることからして、本願発明も、データの種別に応じて別の領域を使用する構成を排除していない。
　よって、当該主張１は、本願の請求項１の記載に基づかないものであるので採用しない。
　
［主張２について］
　上記４−１．［相違点２について］でも述べたように、引用発明１と引用発明とは、いずれもディスクに対してストリーム（連続データ）を書き込むことを要件としている点で一致しているから、該ストリームをどのような単位で書き込むか具体的に特定していない引用発明１に対して、入出力性能を保証する最小連続記録単位Ｂａで書き込むようにした引用発明２の書き込み手法を適用することに何ら技術的な阻害要因は存在しない。
　そして、引用発明１は、ストリームをファイル管理していることから、ディスクに対する入出力性能を保証する手法を採用した場合、上位概念においては、ファイルに対する入出力性能を保証したことになるのは自明な効果である。
　なお、請求項１に記載の「ファイルの書き込み／読み出し性能に一定以上の入出力速度を保証可能な一定長」との表現からすると、本願発明の「一定長」は、「ファイル」の論理的な構造等に依存したものであるかのようにも解釈し得る。しかしながら、本願の発明の詳細な説明の段落【００２２】に記載の【数１】によれば、該「一定長」に対応する「連続領域の長さＬａｌｌｏｃ」は、ピークデータ転送レートＶｍａｘ、保証すべき転送レートＶｍｉｎ、最大アクセス時間Ｔａｃｃｅｓｓに基づいて計算できるものであるが、ピークデータ転送レートＶｍａｘ、保証すべき転送レートＶｍｉｎ、最大アクセス時間Ｔａｃｃｅｓｓといったパラメータは、ディスク制御装置のディスク周りの性能に依存するものであって、ファイルとは無関係である。また、上記段落以外の記載を参酌しても、本願発明の「一定長」がファイルに依存したものであることを導き出すことはできない。つまり、本願発明の「一定長」は、実質的には、ディスクの書き込み／読み出し性能に一定以上の入出力速度を保証するものであって、ファイルの論理的な構造等には無関係に定められたものである。このように、請求項１に記載の「ファイルの書き込み／読み出し性能に一定以上の入出力速度を保証可能な一定長」は、結果として「ファイル」に対して一定の入出力速度を保証可能としているという効果を述べているにすぎず、当該「一定長」が、直接「ファイル」に依存して決定される性質であることを規定しているとは解釈することはできない。
　よって、当該主張２は、引用発明１と引用発明２に共通した技術的事項を無視すると共に、請求項１の記載の「一定長」があたかも「ファイル」に依存して定められているかのごとく誤った認識に基づいたものであるから、採用しない。
　
５．むすび
　したがって、本願発明は、引用発明１及び２並びに周知技術に基いて当業者が容易に発明をすることができたものであるので、特許法第２９条第２項の規定により特許を受けることができない。
　よって、結論のとおり審決する。